(57)【要約】【課題】騒音の原因となる着信音や振動音を発生させることなく、ユーザに対して情報の着信を確実に通知することができる情報着信通知方法、携帯電話機及びその充電装置を提供する。【解決手段】携帯電話通信網を介して携帯電話機が情報を受信したときに、その情報の着信を通知するための着信通知画像を、利用者が視認可能な投影面に投影する。この携帯電話機は、携帯電話通信網を介して情報を受信する無線通信部１１３と、利用者が視認可能な投影面２００に画像を投影するための画像投影部１３０と、無線通信部１１３で情報を受信したときに、その情報の着信を通知するための着信通知画像を投影するように画像投影部１３０を制御する制御部１１１とを備えるように構成する。【選択図】  図１
2004289401.tif 000002
【特許請求の範囲】
【請求項１】
通信ネットワークを介して情報通信端末が情報を受信したときに、該情報の着信を通知するための着信通知画像を、利用者が視認可能な投影面に投影することを特徴とする情報着信通知方法。
【請求項２】
通信ネットワークを介して情報を受信する情報受信手段と、利用者が視認可能な投影面に画像を投影するための画像投影手段とを備えた情報通信端末であって、
該情報受信手段で情報を受信したときに、該情報の着信を通知するための着信通知画像を投影するように該画像投影手段を制御する制御手段を備えたことを特徴とする情報通信端末。
【請求項３】
請求項２の情報通信端末において、
上記情報受信手段は、他の情報通信端末からのメール及び電話の少なくとも一つの着信情報を受信するものであり、
上記着信通知画像は、メール及び電話の少なくとも一つの着信を通知するための画像であることを特徴とする情報通信端末。
【請求項４】
請求項３の情報通信端末において、
上記メール又は上記電話の送信元の情報を記憶しておく送信元情報記憶手段を備え、
上記情報受信手段で受信した着信情報に基づいて、該送信元情報記憶手段から該当する送信元の情報を読み出し、該送信元の情報を上記着信通知画像に含めるように制御することを特徴とする情報通信端末。
【請求項５】
上記情報受信手段は、情報提供元から送信されてきた提供対象の情報を受信するものであり、
上記着信通知画像は、該提供対象の情報の着信を通知するための画像であることを特徴とする情報通信端末。
【請求項６】
請求項５の情報通信端末において、
上記着信通知画像は、上記提供対象の情報の概略内容を示す情報を含むことを特徴とする情報通信端末。
【請求項７】
請求項２乃至６のいずれかの情報通信端末において、
上記着信通知画像は、上記情報の着信の履歴を通知するための着信履歴情報を表示する画像であることを特徴とする情報通信端末。
【請求項８】
請求項２乃至７のいずれかの情報通信端末において、
充電可能な電池と、該電池を充電しているか否かを検知する充電有無検知手段とを備え、
該充電有無検知手段の検知結果に基づいて該電池を充電しているときにのみ上記投影を可能にするように制御することを特徴とする情報通信端末。
【請求項９】
通信ネットワークを介して情報を受信する情報受信手段を備えた情報通信端末が装着される情報通信端末装着装置であって、
該情報通信端末の外部端子を通して、該情報通信端末による情報の着信を通知するための着信通知情報を受信する着信通知情報受信手段と、
利用者が視認可能な投影面に画像を投影するための画像投影手段と、
該着信情報受信手段が該着信通知情報を受信したときに、該情報通信端末による情報の着信を通知するための着信通知画像を投影するように該画像投影手段を制御する制御手段とを備えたことを特徴とする情報通信端末用充電装置。
【請求項１０】
請求項９の情報通信端末装着装置において、
上記情報通信端末の外部端子を通して該情報通信端末内の電池を充電するための充電手段を備えたことを特徴とする情報通信端末用装着装置。
【発明の詳細な説明】
【０００１】
【発明の属する技術分野】
本発明は、通信ネットワークを介して情報を受信可能な携帯電話機等の情報通信端末、情報通信端末における情報着信通知方法、及び情報通信端末を装着可能な情報通信端末装着装置に関するものである。
【０００２】
【従来の技術】
従来の情報通信端末としての携帯電話機では、メールや電話の着信情報を受信したときの着信通知は、音や振動が用いられていた。例えば、所定の発音パターンや特定のメロディからなる着信音を予め設定しておき、メール等を着信したときに、上記予め設定しておいた着信音を鳴らすことにより、携帯電話機のユーザにメール等の着信を知らせる。また、携帯電話機をマナーモードに設定した場合は、メール等を着信したときに、予め設定しておいた所定振動パターンで携帯電話機を振動させることにより、携帯電話機のユーザにメール等の着信を知らせる。
また、携帯電話機を用いたサービスとして、所定のタイミングで特定分野の情報を多数の携帯電話機に対して一斉に送信する情報提供サービスが知られている。この情報提供サービスで提供される情報の着信を通知する着信通知にも、上記音や振動が用いられていた。
【０００３】
また、従来の携帯電話機では、ユーザが知らない間に着信したメール等の着信情報の履歴を着信履歴情報としてディスプレイ上に表示していた。この着信履歴情報は、その後のユーザの操作開始時に確認できるようにディスプレイ上に優先的に表示され、ユーザが携帯電話機を操作して確認するまで表示し続けられていた。また、折り畳み式の携帯電話機にあっては、携帯電話機が閉じられた状態でもユーザが確認できるように、携帯電話機の外面上のディプレイに上記着信情報が表示されていた。
【０００４】
【発明が解決しようとする課題】
ところが、上記従来の携帯電話機ではメール等の着信通知に音や振動を用いていたので、メール等を着信するたびに着信音や振動音が発生し、会社のオフィス等の環境では騒音の原因となるという問題点があった。
【０００５】
本発明は以上の問題点に鑑みなされたものである。その目的は、騒音の原因となる着信音や振動音を発生させることなく、ユーザに対して情報の着信を確実に通知することができる情報着信通知方法、情報通信端末及び情報通信端末装着装置を提供することである。
【０００６】
【課題を解決するための手段】
上記目的を達成するために、請求項１の発明は、通信ネットワークを介して情報通信端末が情報を受信したときに、該情報の着信を通知するための着信通知画像を、利用者が視認可能な投影面に投影することを特徴とするものである。
また、請求項２の発明は、通信ネットワークを介して情報を受信する情報受信手段と、利用者が視認可能な投影面に画像を投影するための画像投影手段とを備えた情報通信端末であって、該情報受信手段で情報を受信したときに、該情報の着信を通知するための着信通知画像を投影するように該画像投影手段を制御する制御手段を備えたことを特徴とするものである。
また、請求項３の発明は、請求項２の情報通信端末において、上記情報受信手段は、他の情報通信端末からのメール及び電話の少なくとも一つの着信情報を受信するものであり、上記着信通知画像は、メール及び電話の少なくとも一つの着信を通知するための画像であることを特徴とするものである。
また、請求項４の発明は、請求項３の情報通信端末において、上記メール又は上記電話の送信元の情報を記憶しておく送信元情報記憶手段を備え、上記情報受信手段で受信した着信情報に基づいて、該送信元情報記憶手段から該当する送信元の情報を読み出し、該送信元の情報を上記着信通知画像に含めるように制御することを特徴とするものである。
また、請求項５の発明は、上記情報受信手段は、情報提供元から送信されてきた提供対象の情報を受信するものであり、上記着信通知画像は、該提供対象の情報の着信を通知するための画像であることを特徴とするものである。
また、請求項６の発明は、請求項５の情報通信端末において、上記着信通知画像は、上記提供対象の情報の概略内容を示す情報を含むことを特徴とするものである。
また、請求項７の発明は、請求項２乃至６のいずれかの情報通信端末において、上記着信通知画像は、上記情報の着信の履歴を通知するための着信履歴情報を表示する画像であることを特徴とするものである。
また、請求項８の発明は、請求項２乃至７のいずれかの情報通信端末において、充電可能な電池と、該電池を充電しているか否かを検知する充電有無検知手段とを備え、該充電有無検知手段の検知結果に基づいて該電池を充電しているときにのみ上記投影を可能にするように制御することを特徴とするするものである。また、請求項９の発明は、通信ネットワークを介して情報を受信する情報受信手段を備えた情報通信端末が装着される情報通信端末装着装置であって、該情報通信端末の外部端子を通して、該情報通信端末による情報の着信を通知するための着信通知情報を受信する着信通知情報受信手段と、利用者が視認可能な投影面に画像を投影するための画像投影手段と、該着信情報受信手段が該着信通知情報を受信したときに、該情報通信端末による情報の着信を通知するための着信通知画像を投影するように該画像投影手段を制御する制御手段とを備えたことを特徴とするものである。
また、請求項１０の発明は、請求項９の情報通信端末装着装置において、上記情報通信端末の外部端子を通して該情報通信端末内の電池を充電するための充電手段を備えたことを特徴とするものである。
【０００７】
請求項１の情報着信通知方法では、通信ネットワークを介して情報通信端末が情報を受信したときに、その情報の着信を通知するための着信通知画像を、利用者が視認可能な投影面に投影する。この投影面に投影された着信通知画像をユーザが確認することにより、情報の着信を知ることができる。
請求項２乃至７の情報通信端末では、制御手段で画像投影手段を制御することにより、情報受信手段で情報を受信したときに、その情報の着信を通知するための着信通知画像を、利用者が視認可能な投影面に投影する。この投影面に投影された着信通知画像をユーザが確認することにより、情報の着信を知ることができる。
特に、請求項３の情報通信端末では、他の情報通信端末からのメール及び電話の少なくとも一つを情報受信手段で受信したときに、そのメール及び電話の少なくとも一つの着信を通知するための着信通知画像を投影面に投影する。この投影面に投影された着信通知画像をユーザが確認することにより、メール等の着信を知ることができる。
特に、請求項４の情報通信端末では、メール又は電話の送信元の情報を、送信元情報記憶手段から読み出して上記投影面に投影した着信通知画像に含めることができる。したがって、ユーザが投影面上の着信通知画像を確認するときに、メール等の着信とともにそのメール等の送信元を把握することができる。このように着信通知されたメール等の送信元が把握できるため、着信通知されたメール等の内容を確認すべきか否かの判断が容易になる。
特に、請求項５の情報通信端末では、情報提供元から送信されてきた提供対象の情報を受信したときに、その提供対象の情報の着信を通知するための着信通知画像を投影面に投影する。この投影面に投影された着信通知画像をユーザが確認することにより、提供対象の情報の着信を知ることができる。
特に、請求項６の情報通信端末では、上記投影面に投影した着信通知画像が、提供対象の情報の概略内容を示す情報を含むので、ユーザが投影面上の着信通知画像を確認するときに、提供対象の情報の着信とともにその情報の概略内容を把握することができる。このように着信通知された情報の概略内容を把握することにより、着信通知された情報の内容を確認すべきか否かの判断が容易になる。
特に、請求項７の情報通信端末では、情報の着信の履歴を通知するための着信履歴情報を表示する着信通知画像を、利用者が視認可能な投影面に投影しておくことができる。このように投影面に着信通知画像を投影しておくことにより、ユーザの知らない間に情報を着信したとしても、ユーザに対して着信履歴を確実に通知できる。また、この着信履歴情報を表示する着信通知画像に送信元や提供対象の情報の概略内容を含ませておけば、情報の着信履歴と、その情報の送信元や概略内容とを同時に把握することができる。
請求項８の情報通信端末では、電池を充電しているときにのみ画像の投影を可能にしているので、画像投影手段による電力消費が比較的大きい場合でも画像の投影による電池の消耗を防止することができる。
請求項９及び１０の情報通信端末装着装置では、装着している情報通信端末が情報を受信したときに、着信情報受信手段によって情報通信端末から外部端子を通して着信通知情報を受信する。そして、着信通知情報を受信したときに、制御手段で画像投影手段を制御することにより、情報通信端末が情報を着信したことを通知するための着信通知画像を、利用者が視認可能な投影面に投影する。この投影面に投影された着信通知画像をユーザが確認することにより、情報通信端末が情報を着信したことを知ることができる。特に、この場合は、情報通信端末装着装置側に画像投影手段を設けているので、情報通信端末側の大幅な仕様変更が不要となり、情報通信端末の構成が複雑になって大型になるのを回避できる。
特に、請求項１０の情報通信端末装着装置では、情報通信端末内の電池の充電を行いながら上記着信通知画像を投影できるので、画像投影手段による電力消費が比較的大きい場合でも画像の投影による電池の消耗を抑制することができる。
【０００８】
なお、上記「着信通知画像」は、文字情報の画像でもいいし、人物、風景等の文字情報以外の画像であってもよい。また、静止画及び動画のいずれでもよい。また、上記「情報通信端末」には、ＰＤＣ（Ｐｅｒｓｏｎａｌ  Ｄｉｇｉｔａｌ  Ｃｅｌｌｕｌａｒ）方式、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）方式、ＴＩＡ（Ｔｅｌｅｃｏｍｍｕｎｉｃａｔｉｏｎｓ  Ｉｎｄｕｓｔｒｙ  Ａｓｓｏｃｉａｔｉｏｎ）方式等の携帯電話機、ＩＭＴ（Ｉｎｔｅｒｎａｔｉｏｎａｌ  Ｍｏｂｉｌｅ  Ｔｅｌｅｃｏｍｍｕｎｉｃａｔｉｏｎｓ）−２０００で標準化された携帯電話機が含まれる。また、「情報通信端末」には、ＰＨＳ（Ｐｅｒｓｏｎａｌ  Ｈａｎｄｙｐｈｏｎｅ  Ｓｅｒｖｉｃｅ）、自動車電話等の電話機のほか、携帯電話モジュールを付加した情報通信端末や、固定電話機も含まれる。
また、上記情報通信端末における制御は、その情報通信端末内に設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【０００９】
【発明の実施の形態】
以下、本発明の実施の形態を図面を参照しながら説明する。
図１は、本発明の実施形態に係る情報通信端末としての携帯電話機の概略構成図である。この携帯電話機の本体部分１００は、制御部１１１、内部メモリ１１２、情報受信手段としての無線通信部１１３及びアンテナ１１４を備えている。また、制御部１１１には、音声処理部１１５を介してマイク１１６及びスピーカ１１７が接続され、画像処理部１１８を介して表示部１１９が接続され、更にキー操作部１２０が接続されている。
また、本実施形態の携帯電話機は、利用者が視認可能な外部の投影面２００に画像を投影するための画像投影手段としての画像投影部１３０を備えている。この画像投影部１３０については後述する。
【００１０】
上記制御部１１１は例えばＣＰＵ、キャッシュメモリ、システムバス等で構成され、所定の制御プログラムを実行することにより内部メモリ１１２や無線通信部１１３等の各部との間でデータの送受信を行ったり各部を制御したりする。また、この制御部１１１は、後述の画像投影部１３０への画像投影を制御する制御手段としても用いられる。
上記内部メモリ１１２は例えばＲＡＭやＲＯＭなどの半導体メモリで構成され、制御部１１１で実行する制御プログラムや各種データを記憶するものである。また、この内部メモリ１１２は、情報提供サイトなどからダウンロードした画像、音楽、プログラム等のコンテンツデータを記憶するコンテンツデータ記憶手段としても用いられる。
【００１１】
上記無線通信部１１４は制御部１１１で制御され、アンテナ１１４を介して、所定の通信方式により携帯電話通信網の基地局との間で無線通信を行うものである。この無線通信により、特定の携帯電話機等との間で音声電話通信を行ったり、電子メールの送受信や情報提供サイトからのコンテンツダウンロード等のデータ通信を行ったりすることができる。
上記音声処理部１１５は、マイクロフォン１１６から入力された送話音声信号を所定方式で符号化して制御部１１１に送る。また、この音声処理部１１５は、無線通信部１１３で受信した受話音声信号を復号化してスピーカ１１７から出力する。更に、この音声処理部１１５は、内部メモリ１１２に記憶されている着信メロディやアプリケーションプログラムで用いる効果音等の音信号をスピーカ１１７から出力する。
上記画像処理部１１８は、無線通信部１１３で受信した画像データや、内部メモリ１１２に記憶されているアイコンやメニュー等の画像データを処理し、液晶ディスプレイ（ＬＣＤ）等からなる表示部に表示させる。
上記キー操作部１２０は、データ入力キー（テンキー、＊キー、＃キー）、通話開始キー、終話キー、スクロールキー、多機能キー等を備え、電話の発信や着信のほか、表示部１１９に表示される情報のスクロールや選択等に用いる。
【００１２】
図２は、上記画像投影部１３０の一構成例を示すブロック図である。この画像投影部１３０はビーム光源１３１と光学スキャナー１３２とそれらを駆動するための駆動制御部１３３とを用いて構成されている。ビーム光源１３１としては、ＬＤ（半導体レーザ）やＬＥＤ（発光ダイオード）等を用いることができる。ビーム光源１３１から出射されるビーム光の強度は、制御部１１１から送られてきた制御データに基づいて駆動制御部１３３により制御される。光学スキャナー１３２は、ビーム光源１３１から発したビーム光を２次元的に走査しながら投影面２００に投射する光学装置である。光学スキャナー１３２によるビーム光の走査は、ビーム光源１３１と同様に駆動制御部１３３により駆動制御される。この光学スキャナー１３２としては、例えば小型で高速走査が可能なガルバノミラーを用いたものを使用することができる。また、上記駆動制御部１３３は、画像データを記憶する画像メモリを有し、予め設定登録された投影対象の画像データや、制御部１１１から制御データとともに送られてきた投影対象の画像データが記憶される。この画像メモリに記憶されている画像データに基づいて、上記ビーム光源１３１及び光学スキャナー１３２が駆動制御される。
上記ビーム光源１３１として互いに波長が異なる複数種類のビーム光（例えば３原色ビーム光）を出射可能なものを用い、各ビーム光を同時に走査して投射すれば、カラー画像を投影面２００上に投影することができる。
また、上記ビーム光源１３１として、互いに独立に強度制御可能な発光点が１列状に並んだ１次元アレイ素子からなる光源を用いることもできる。この場合は、光源から出射されたライン状の光を光学スキャナー１３２で１次元的に走査すればよい。
また、上記ビーム光源１３１として、互いに独立に強度制御可能な発光点が２次元的に並んだ２次元アレイ素子からなる光源を用いることもできる。この場合は、光学スキャナー１３２の代わりに、光源上に表示された２次元的な画像を拡大して投影面２００上に投影する拡大投影光学系を用いる。
【００１３】
図３は、上記画像投影部１３０の他の構成例を示すブロック図である。この画像投影部１３０は、ランプ等の光源１３４と、空間光変調器１３５と、拡大投影光学系１３６と、駆動制御部１３３とを用いて構成されている。
空間光変調器１３４としては、例えば通常の携帯電話機等で使用されている液晶ディスプレイを用いることができる。この場合は、透過型の液晶ディスプレイでの表示モードとは反対に画像を白黒反転させて表示する。このように白黒反転して表示した液晶ディスプレイの表面に光源１３３からの光を照射し、その反射像を拡大投影光学系１３５で拡大して投影面２００上に投影する。なお、この液晶ディスプレイとしては、通常の携帯電話機等で設けられている液晶ディスプレイを兼用してもよい。
また、空間光変調器１３４としては、互いに独立に傾きを制御可能な小型のミラーを２次元的に並べたものを使用することもできる。この場合は、画像データに基づいて、各ミラーの傾きを制御し、各ミラーから投影面２００側へ向かう光の反射光をオン／オフする。この空間光変調器１３４からの反射像は、拡大投影光学系１３５で拡大して投影面２００上に投影される。
【００１４】
また、上記画像投影部の構成は図２や図３の構成に限定されるものではない。例えば、ホログラム素子を用いて投影するような構成であってもよい。
また、上記画像の投影は広角で行うように構成してもよい。例えば、部屋の内壁面全体を投影面にみたてて画像を広角的に投影するようにしてもよい。この場合は、例えばプラネタリウムのごとく部屋全体に星空がきらめく天空の画像を投影するように、今までにない趣向を凝らした着信通知が可能になる。
【００１５】
図４は、上記画像投影部１３０を備えた折り畳み式の携帯電話機１００で画像を投影している様子を示した説明図である。この携帯電話機１００は、待ち受け動作モードを選択した状態で、画像投影部１３０の光出射口を所望の投影面２００に向けて机の上に置いたり、携帯電話機用の充電器にセットしたりしておく。充電器にセットした場合は、
携帯電話機の待ち受け状態では、予め設定しておいた待ち受け画像が、投影面２００上に投影される。そして、電話やメール等を着信したときに図５（ａ）のような着信通知の画像が表示される。また、利用者が電話を受けたりメールを閲覧したりする操作をしなかったときは、それらの新規着信のリストである図５（ｂ）のような着信履歴情報の画像を表示がされる。また、携帯電話通信網上のサーバーから無線通信回線を介して情報を送信する情報提供サービスを受けていた場合は、新着情報を着信したときに新着情報の着信通知の画面が表示される。また、利用者が新着情報を閲覧する操作をしなかったときは、図５（ｃ）のような新着情報のリストの画面が表示される。
【００１６】
なお、上記着信通知の画像は、電話やメールの送信元によって異なる画像を投影するようにしてもよい。この場合は、メール又は電話の送信元の情報を記憶しておく送信元情報記憶手段として上記内部メモリ１１２を用いる。そして、無線通信部１１４で受信した着信情報に基づいて、内部メモリ１１２から該当する送信元の情報を読み出し、その送信元の情報を上記着信通知画像に含めるように制御する。以上のように送信元の情報を上記着信通知画像に含めることにより、投影面２００に投影された着信通知の画像を見ただけで、電話やメールの送信元が誰であるかを即座に判断することができる。
【００１７】
図６は、新規メールを着信したときに新着通知画像を投影する処理の流れの一例を示すシーケンス図である。
まず、ユーザによって画像投影を行う表示メニューが選択された状態でメール着信可能な待受け動作モードが制御部１１１で実行されると、制御部１１１から画像投影部１３０の駆動制御部１３３に待受画像投影用制御データが送られる。この待受画像投影用制御データに基づいて、予め設定されている待受画像の投影が開始される。
この待受け動作モードが実行されている状態で、携帯電話機１００の無線通信部１１３が携帯電話通信網を介してメールを着信すると、そのメールデータが制御部１１１に送られる。制御部１１１では所定の制御プログラムにしたがってメール受信のデータ処理が実行され、画像投影部１３０に対してメール用の着信通知画像投影用制御データが送られる。この着信通知画像投影用制御データに基づいて、上記待受画像の投影が停止されるとともに、図５（ａ）に示すような着信通知画像の投影が開始される。この着信通知画像が所定の投影面に投影されることにより、音や振動を介さずに、ユーザはメール着信を視覚で確認することができる。
次に、上記着信通知画像の投影が開始された後、所定時間経過すると、制御部１１１から画像投影部１３０に着信通知停止用制御データが送られ、着信通知画像の投影が停止される。そして、制御部１１１から画像投影部１３０に着信履歴画像投影用制御データが送られ、図５（ｂ）に示すような着信履歴画像の投影が開始される。この着信履歴画像が所定の投影面に投影されることにより、音や振動を介さずに、ユーザはメール等着信履歴を視覚で確認することができる。
【００１８】
図７は、電話を着信したときに新着通知画像を投影する処理の流れの一例を示すシーケンス図である。なお、この例では、電話の着信に対してユーザが応答しない場合について示している。
まず、前述のように待受け動作モードが実行されている状態で、携帯電話機１００の無線通信部１１３が携帯電話通信網を介して電話を着信すると、その着信情報が制御部１１１に送られる。制御部１１１は画像投影部１３０に対して電話用の着信通知画像投影用制御データが送られる。この着信通知画像投影用制御データに基づいて、上記待受画像の投影が停止されるとともに、電話用の着信通知画像の投影が開始される。この着信通知画像が所定の投影面に投影されることにより、音や振動を介さずに、ユーザは電話着信を視覚で確認することができる。次に、上記着信通知画像の投影が開始された後、ユーザが応答しない状態で無線通信部１１３が回線切断の信号を受信すると、その回線切断情報が制御部１１１に送られる。そして、回線切断情報を受けた制御部１１１から画像投影部１３０に着信通知停止用制御データが送られ、着信通知画像の投影が停止される。そして、制御部１１１から画像投影部１３０に着信履歴画像投影用制御データが送られ、図５（ｂ）に示すような着信履歴画像の投影が開始される。この着信履歴画像が所定の投影面に投影されることにより、音や振動を介さずに、ユーザは電話等着信履歴を視覚で確認することができる。
【００１９】
図８は、携帯電話通信網を介して情報提供システムから新規の情報を着信したときに新着通知画像を投影する処理の流れの一例を示すシーケンス図である。
まず、前述のように待受け動作モードが実行されている状態で、携帯電話機１００の無線通信部１１３が携帯電話通信網を介して新規情報を着信すると、その新規情報データが制御部１１１に送られる。制御部１１１では所定の制御プログラムにしたがって新規情報受信のデータ処理が実行され、画像投影部１３０に対して新着情報用の着信通知画像投影用制御データが送られる。この着信通知画像投影用制御データに基づいて、上記待受画像の投影が停止されるとともに、新規情報用の着信通知画像の投影が開始される。この着信通知画像が所定の投影面に投影されることにより、音や振動を介さずに、ユーザは新規情報の着信を視覚で確認することができる。
次に、上記着信通知画像の投影が開始された後、所定時間経過すると、制御部１１１から画像投影部１３０に着信通知停止用制御データが送られ、着信通知画像の投影が停止される。そして、制御部１１１から画像投影部１３０に新着情報画像投影用制御データが送られ、図５（ｃ）に示すような新着情報画像の投影が開始される。この新着情報画像が所定の投影面に投影されることにより、音や振動を介さずに、ユーザは新着情報のリストを視覚で確認することができる。
【００２０】
以上、本実施形態によれば、利用者が視認可能な外部の投影面２００に投影された着信通知情報をユーザが確認して情報の着信を知ることができるので、騒音の原因となる着信音や振動音を発生させることなく、ユーザに対して、携帯電話機１００で受信したメール、電話、情報提供元からの新着情報等の着信を確実に通知することができる。
また、本実施形態によれば、図５（ｃ）のように投影面２００に投影する着信通知画像に提供対象の情報の概略内容を示す情報を含ませることができるので、着信通知された情報の内容を確認すべきか否かの判断が容易になる。
【００２１】
また、従来の携帯電話機では、ユーザの知らない間にメール等の着信があった場合、その着信履歴情報が携帯電話機のディスプレイ上に着信履歴情報が表示される。メール等の着信は、ユーザがディスプレイ上の着信履歴情報を見なければ確認することができない。そのため、メール等の着信を見逃してしまうおそれがあった。また、携帯電話機を置いている場所にユーザが戻ったとき、そのたびに、携帯電話機のディスプレイ上に着信履歴情報が表示されているかどうかを確認する必要があり、その確認作業が煩わしかった。
これに対し、本実施形態によれば、着信履歴画像や新着情報画像を投影面２００に投影しておくことにより、ユーザが知らない間にメール及び電話の着信や新規情報の着信があったことを確実に通知できる。したがって、メール等の着信を見逃してしまうこともなく、携帯電話機のディスプレイ上に着信履歴情報が表示されているかどうかを確認する煩わしい確認作業も不要となる。
【００２２】
なお、上記実施形態において、着信通知画像、着信履歴画像及び新着情報画像は、携帯電話機に内蔵している図示しない電池を充電しているときにのみ投影可能にするように制御してもよい。この場合は、電池を充電しているか否かを検知する充電有無検知手段としての充電検知回路を携帯電話機内に設ける。この充電検知検知回路は、例えば、外部の充電装置から外部接続用インターフェースを介して供給されている充電電流をモニターし、その充電電流の有無によって電池を充電しているか否かを検知する。そして、この充電検知回路で電池の充電を検知している場合にのみ上記着信通知画像等の投影が可能になるように制御部１１１で制御する。このように電池を充電しているときにのみ画像の投影を可能にすることにより、画像の投影による携帯電話機１００内の電池の消耗を防止できる。
【００２３】
また、上記実施形態では、携帯電話機１００に画像投影部１３０を設けているが、図９に示すように携帯電話機を装着する装着装置としての充電装置３００に画像投影部３０２を設けてもよい。この画像投影部３０２としては、前述の図２や図３で示したような携帯電話機１００の場合と同様な構成の画像投影部１３０を採用することができる。また、この充電装置３００は、画像投影部３０２のほか、制御部３０１、外部接続用インターフェース３０３、充電回路３０４等を備えている。この場合、携帯電話機１００側には、図１０に示すように制御部１１に接続された外部接続用インターフェース１４０が設けられる。そして、充電装置３００に携帯電話機１００を装着したときに、充電装置３００側の外部接続用インターフェース３０３の外部接続端子３０３ａと携帯電話機１００側の外部接続用端子１４０ａとが電気的に接続されるようになっている。これにより、携帯電話機１００が情報を受信したときのメール着信、電話着信及び新規情報の着信等のデータを、充電装置３００側の制御部３０１に送って着信通知画像等の所定の画像を投影面２００に投影できる。
このように充電装置３００に画像投影部３０２を設けた場合は、携帯電話機１００側に画像投影部を設ける場合とは異なり、携帯電話機１００側の大幅な仕様変更が不要となる。更に、携帯電話機１００の構成が複雑になって大型になるのを回避できる。更に、携帯電話機１００内の電池の充電を行いながら着信通知画像等を投影できるので、画像の投影による携帯電話機１００内の電池の消耗を回避できる。
【００２４】
また、上記実施形態の携帯電話機１００にはＣＣＤカメラ等の静止画や動画を撮影することができる撮像手段を設けてもよい。この場合は、ユーザが携帯電話機を使って撮影した静止画や動画を、上記投影面に投影する着信通知画像、着信履歴画像、新着情報のリストの背景画面等に用いることができる。
【００２５】
【発明の効果】
請求項１乃至１０の発明によれば、利用者が視認可能な投影面に投影された着信通知情報をユーザが確認して情報の着信を知ることができるので、騒音の原因となる着信音や振動音を発生させることなく、ユーザに対して情報の着信を確実に通知することができるという効果がある。
特に、請求項３の発明によれば、騒音の原因となる着信音や振動音を発生させることなく、ユーザに対して、メール等の着信を確実に通知することができるという効果がある。
特に、請求項４の発明によれば、着信通知されたメール等の内容を確認すべきか否かの判断が容易になるという効果がある。
特に、請求項５の発明によれば、騒音の原因となる着信音や振動音を発生させることなく、ユーザに対して、情報提供元から送信されてきた提供対象の情報の着信を確実に通知することができるという効果がある。
特に、請求項６の発明によれば、着信通知された情報の内容を確認すべきか否かの判断が容易になるという効果がある。
特に、請求項７の発明によれば、ユーザが知らない間に情報の着信があったことを確実に通知できるという効果がある。
特に、請求項９の発明によれば、情報通信端末装着装置側に画像投影手段を設けているので、情報通信端末側に画像投影手段を設ける場合とは異なり、情報通信端末側の大幅な仕様変更が不要となる。更に、情報通信端末の構成が複雑になって大型になるのを回避できるという効果がある。
特に、請求項８及び１０の発明によれば、情報通信端末内の電池の充電を行いながら着信通知画像等を投影できるので、画像の投影による電池の消耗を回避できるという効果がある。
【図面の簡単な説明】
【図１】本発明の実施形態に係る携帯電話機の概略構成図。
【図２】同携帯電話機の画像投影部の一構成例を示すブロック図。
【図３】同画像投影部の他の構成例を示すブロック図。
【図４】同画像投影部を備えた携帯電話機で画像を投影している様子を示した説明図。
【図５】（ａ）〜（ｃ）は画像投影部で投影する画像の説明図。
【図６】新規メールを着信したときに新着通知画像を投影する処理の流れの一例を示すシーケンス図。
【図７】電話を着信したときに新着通知画像を投影する処理の流れの一例を示すシーケンス図。
【図８】携帯電話通信網を介して情報提供システムから新規の情報を着信したときに新着通知画像を投影する処理の流れの一例を示すシーケンス図。
【図９】画像投影部を備えた充電装置の概略構成図。
【図１０】同充電装置に装着する携帯電話機の概略構成を示すブロック図。
【符号の説明】
１００  携帯電話機
１１１  制御部
１１３  無線通信部
１３０  画像投影部
２００  投影面
【図１】
2004289401.tif 000003
【図２】
2004289401.tif 000004
【図３】
2004289401.tif 000005
【図４】
2004289401.tif 000006
【図５】
2004289401.tif 000007
【図６】
2004289401.tif 000008
【図７】
2004289401.tif 000009
【図８】
2004289401.tif 000010
【図９】
2004289401.tif 000011
【図１０】
2004289401.tif 000012